(57)【特許請求の範囲】
【請求項１】
天部を有しこの天部から垂下して間に開口を形成する一対の取付脚を有し前記開口で前記天部から前記取付脚よりも短く垂下した側板を有しこの側板に前記開口に向けて切欠された電線挿通孔を有して天井の埋込穴に取付けられた器具本体と、この器具本体の前記開口を通して天井裏より引き下ろされた電線を接続して前記電線が前記電線挿通孔内に位置するように前記器具本体内に取付けられた端子台とを備えた照明器具。
【発明の詳細な説明】
【０００１】
【発明の属する技術分野】
この発明は、ダウンライト等の照明器具に関するものである。
【０００２】
【従来の技術】
ダウンライトの取付施工には、器具本体と取付金具に代表される手段を使ってダウンライトを天井に固定するほか、天井裏の建物の躯体からアンカーボルトを延ばし、器具をこのボルトに固定する手段がある。
この種の従来例のダウンライトを図９から図１１に示す。１００は天井の埋込穴、１０１は器具本体、１０２はソケット台である。器具本体１０１は埋込穴１００に挿入され、外鍔１０３が埋込穴１００の縁部に係止し、天井躯体より垂下したアンカーボルト１０４にナット１０５で取付けられている。ソケット台１０２は、端子台１０６およびランプソケット１０７を有し、両側片１０８の上端部に設けた取付片１０９を器具本体１０１の天部にソケット台固定ねじ１１０により固定されている。１１１は反射板、１１２はその取付ばね、１１３はランプである。
【０００３】
器具本体１０１は、図１１に示すようにあらかじめ器具の電線通し穴１１４に電線１１５を通した状態で、天井に設けた埋込穴１００に器具本体１０１を挿通して天部をアンカーボルト１０４とナット１０５により固定する。またソケット台１０２は、天井に取付けられた器具本体１０１に取付ける前に、器具本体１０１の電線通し穴１１４を通して内部に引き込んだ電線１１５を端子台１０６に接続し、つぎにソケット台１０２を器具本体１０１に取付ける。
【０００４】
【発明が解決しようとする課題】
しかしながら、この照明器具は、器具の内部にあらかじめ電線１１５を挿通した状態でボルト吊りをするため、ナット締め作業がしにくい。また天井開口面の下部で端子台１０６等に結線し、ソケット台１０２を器具の定位置にセットする際、電線１１５たとえばケーブルとくに耐火ケーブルはこしが強いので、セットしずらいという欠点があった。
【０００５】
これらの作業を容易にしようとすると器具が大型化する。そこで、実用上器具の大きさを可能なかぎり小さくしながら作業容易にすることが求められた。
したがって、この発明の目的は、器具本体の取付け作業を容易にすることができ小型化が可能な照明器具を提供することである。
【０００６】
【課題を解決するための手段】
請求項１記載の照明器具は、天部を有しこの天部から垂下して間に開口を形成する一対の取付脚を有し前記開口で前記天部から前記取付脚よりも短く垂下した側板を有しこの側板に前記開口に向けて切欠された電線挿通孔を有して天井の埋込穴に取付けられた器具本体と、この器具本体の前記開口を通して天井裏より引き下ろされた電線を接続して前記電線が前記電線挿通孔内に位置するように前記器具本体内に取付けられた端子台とを備えたものである。
【０００７】
請求項１記載の照明器具によれば、天井の埋込穴を通して引き下ろす電線を器具本体の開口に位置すればよいので器具本体の取付け作業が容易になり器具を取付ける施工性が向上でき、大型化する必要がない。また、電線を取付けた端子台を所定位置に取付ける際に電線は開口から電線挿通孔に移動するので電線自身のこしの強さを余り気にすることなく施工でき、電線自身に無理な力をかけず、電線自身と結線部にストレスを与えない。
【０００８】
【発明の実施の形態】
この発明の一実施の形態を図１から図８により説明する。すなわち、この照明器具であるダウンライトは、端子台４を有するソケット台１と、器具本体２と、固定手段３とを有する。
ソケット台１は、端子台４およびランプソケット５を有しかつ被案内部６を有する。実施の形態では、ソケット台１が例えば板金部品等を用いた平板により形成され両側にばね係合片９を折曲垂下し、ばね係合片９に係合孔１０を形成している。ランプソケット５はソケット台１の下面に取付けられ、端子台４は上面に取付けられ、ランプソケット５と端子台４は相互に結線され、端子台４にたとえばケーブルなどの電線１７が接続されている。ランプソケット５には例えば白熱ランプ７が装着され、また端子台４は例えば速結構造になっている。また被案内部６は、ソケット台１の縁部のばね係合片９の両側に一体形成された第１のガイド突片６ａおよび第２のガイド突片６ｂからなっている。
【０００９】
器具本体２は、天部２ａを有し、この天部２ａから垂下して間に開口３０を形成する一対の取付脚２ｂを有し、開口３０で天部２ａから取付脚２ｂよりも短く垂下した側板２ｃを有し、この側板２ｃに開口３０に向けて切欠された電線挿通孔１８を有して、天井の埋込穴１６に取付けられている。また、器具本体２の内面に被案内部６をガイドする鉛直方向ガイド部１１を有し、被案内部６を鉛直方向ガイド部１１の上位位置から水平方向に案内する水平方向ガイド部１２を有する。実施の形態の器具本体２は、全体的に略八角柱状の形状を呈して、取付脚２ｂおよび側板２ｃによる四側面が強固になるようにしている。また天部２ａの端子台を避けるようにボルト吊り用孔１３を形成し、取付脚２ｂの中央に天井裏面に係止する取付具（図示せず）の取付け用Ｔ溝１４を形成し、さらに取付脚２ｂの下端部に埋込穴１６の縁部に係止する外鍔１５を折曲している。
【００１０】
鉛直方向ガイド部１１は、取付脚２ｂの内面に形成され、第１のガイド突片６ａおよび第２のガイド突片６ｂの互いに離れた側の側面を案内するように取付脚２ａの両側を内側に折曲することにより形成された両側縁部１１ａ、１１ｂにより構成している。また水平方向ガイド部１２は、鉛直方向ガイド部１１ｂに形成した切欠により形成されたスライド溝部１２ａであり、第２のガイド突片６ｂがそのスライド溝部１２ａに係合し、その内奥部に係止すると、ソケット台１が器具本体２の取付位置に位置決めされ、落下することなく支持される。
【００１１】
器具本体２は、電線１７が開口３０を通して引き下ろされた状態で天井に取付けられ、端子台４は、その電線１７を接続して電線１７が電線挿通孔１８内に位置するように器具本体２内に取付けられている。すなわち電線１７が端子台４に接続された後、ソケット台１を器具本体２に取付けることにより端子台４が器具本体２に固定され、このとき電線１７は電線挿通孔１８に位置する関係にしている。
【００１２】
固定手段３は、ソケット台１が水平方向ガイド部１２により案内された位置でソケット台１を器具本体２に固定する。実施の形態の固定手段３は、ソケット台１に設けられただるま孔８と、器具本体２に設けられてソケット台１が鉛直方向ガイド部１１に沿って上位位置に位置する際にだるま孔８の大径部８ｂに頭部３ａが通り、ソケット台２が水平方向ガイド部１２に沿って移動することにより頭部２１ａがだるま孔８の小径部８ａに移動する取付ねじ２１と有している。実施の形態の取付ねじ２１はねじ部２１ｂの先端に不完全ねじ部を設けることにより器具本体２からの抜け落ちないようにしている。まただるま孔８は、ソケット台１のばね係合片９の並び方向と直交する方向で第１のガイド部６ａの第２のガイド部６ｂと反対側の端部に形成され、その端部側が小径部８ａとなりソケット台１の中央側が大径部８ｂとなるように向いている。また図７に示すように、だるま孔８は大径部８ｂの周縁部に例えばバーリングによる略環状の突起部１９を設けており、取付ねじ２１の頭部２１ａが大径部８ｂから小径部８ａに移動すると、ソケット台１を突起部１９の高さ分持ち上げない限り外れないようにしている。なおこの固定手段３はスライド溝部１２ａとともに水平方向ガイド部１２の働きも兼用している。
【００１３】
２８は反射板であり、反射板２８の上端部に設けた取付片１６がばね係合片９の孔１０に係合して取付けられる。なお、２０は水平方向ガイド部１２により位置決めされたソケット台１に係止してソケット台１を固定する固定手段３の一部を構成するかしめ固定部であるが、なくてもよい。
この照明器具の組立について説明する。従来例と同様に器具本体１のボルト吊り用孔１３を吊りボルト２３に通し外鍔１５を天井の埋込穴１６の縁部に係止してナット２６により天井に取付ける。この際開口３０に天井裏の電線１７を挿通した状態で行なうが、電線１７は図１に示すように埋込穴１６いっぱいに広げることができ、電線１７のしなりを従来より小さくとれ、しかもボルト吊り施工の作業性スペースを広くとることができる。そして電線１７を器具本体２の取付脚２ｂの間で側板２ｃの下側の開口３０のスペースを利用して天井の表側に引き下ろすことにより、端子台４に容易に接続でき施工容易になる。つぎに、ソケット台１の被案内部６を鉛直方向ガイド部１１に沿って器具本体１内に挿入する。ソケット台１が所定の上位位置で器具本体２に設けたストッパ（図示せず）に当たると、水平方向ガイド部１２に沿って取付ねじ２１から離れる水平方向に移動し、第２のガイド突片６ｂが水平方向ガイド部１２のスライド溝部１２ａに進入して鉛直方向の移動が規制されるとともにスライド溝部１２ａの底部に係止する。このとき、取付ねじ２１の頭部２１ａがだるま孔８の大径部８ｂを通り、ソケット台１が水平方向ガイド部１２に沿って取付ねじ２１から離れる方向に移動するとき、だるま孔８の小径部８ａが取付ねじ２１に移動し、このスライド溝部１２ａと取付ねじ２１によりソケット台１が落下しない状態に仮支持される。つぎにそのまま取付ねじ２１を締めると図７（ｂ）の状態にソケット台１が固定される。またランプソケット５は器具本体２内の所定の位置に位置決めされる。そして反射板２８の取付片１６をばね係合片９の孔１０に係合して取付ける。
【００１４】
この実施の形態によれば、天井の埋込穴１６を通して引き下ろす電線１７を器具本体２の開口３０に位置すればよいので器具本体２の取付け作業、とくに吊りボルト２３にナット２６で固定する施工作業、が容易になり器具を取付ける施工性が向上でき、大型化する必要がない。また、電線１７を取付けた端子台４を所定位置に取付ける際に電線１７は開口３０から電線挿通孔１８に移動するので電線自身のこしの強さを余り気にすることなく施工でき、電線自身に無理な力をかけず、電線自身と結線部にストレスを与えない。
【００１５】
また、ソケット台１の被案内部６を器具本体２の鉛直方向ガイド部１１に案内してソケット台１を器具本体２内に挿入し、つぎに水平方向ガイド部１２に沿ってソケット台１を移動することにより位置決めし、固定手段３により固定する。このため、大型化することなくソケット台の固定作業を容易にすることができる。
【００１６】
また垂直方向ガイド部１２に沿ってソケット台１を移動すると取付ねじ２１の頭部２１ａがだるま孔８の大径部８ｂに進入し、水平方向ガイド部１２に沿ってソケット台１を移動すると取付ねじ２１がだるま孔８の小径部８ａに移動するので、取付ねじ２１を締めつけるとソケット台１が固定される。このためより一層ソケット台１の固定作業を容易にすることができる。
【００１７】
その結果、ガイドに沿ってソケット台１を移動させるだけでソケット台１の取付位置出しが簡単にできる。また取付ねじ２１を締めつけることにより簡単に取付ねじ２１の係止ができ、かつねじ締め位置が埋込孔１６に近づけることにより取付ねじ２１の視認性が良くなる。
だるま孔８の大径部８ｂのバーリングにより取付ねじ２１の緩みが生じたときでも、ソケット台１が水平方向に移動することがなく、しかも取付ねじ２１は抜け落ちることがないようにしているので、ソケット台１が落下することがなく、安全が図れる。
【００１８】
また器具本体２に鉛直方向ガイド部１１を設けることにより器具本体２の強度が増す。また施工現場では器具本体２の周辺部を持たれることが多いが、実施の形態の鉛直方向ガイド１１を設けることにより、板金切断面のシャープエッジ処理をする必要がなくなる。
なお、取付脚３０同士の間の開口３０は少なくとも天部２ａからソケット台１の取付位置までの間が端子台４に接続される電線１７の幅より広く連続的に開口していればよい。
【００１９】
【発明の効果】
請求項１記載の照明器具によれば、天井の埋込穴を通して引き下ろす電線を器具本体の開口に位置すればよいので器具本体の取付け作業が容易になり器具を取付ける施工性が向上でき、大型化する必要がない。また、電線を取付けた端子台を所定位置に取付ける際に電線は開口から電線挿通孔に移動するので電線自身のこしの強さを余り気にすることなく施工でき、電線自身に無理な力をかけず、電線自身と結線部にストレスを与えない。
【図面の簡単な説明】
【図１】この発明の一実施の形態のソケット台に電線を配線した状態のソケット台の取付前の断面図である。
【図２】照明器具の全体の分解斜視図である。
【図３】器具本体の天井施工状態の断面図である。
【図４】ソケット台を取付けた状態で器具本体を逆さに見た状態の斜視図である。
【図５】ソケット台の取付前の断面図である。
【図６】そのソケット台を器具本体に取付けた状態の断面図である。
【図７】
照明器具の斜視図である。
【図８】取付ねじおよびだるま孔を示すもので、（ａ）は部分平面図、（ｂ）は分解斜視図である。
【図９】従来例の照明器具の施工状態の断面図である。
【図１０】そのソケット台の斜視図である。
【図１１】従来例のソケット台の配線状態の断面図である。
【符号の説明】
１    ソケット台
２    器具本体
２ａ    天部
２ｂ    取付脚
２ｃ    側板
４    端子台
５    ランプソケット
１７    電線
１８    電線挿通孔
３０    開口
【図１】
0003570199.tif 000002
【図２】
0003570199.tif 000003
【図３】
0003570199.tif 000004
【図４】
0003570199.tif 000005
【図５】
0003570199.tif 000006
【図６】
0003570199.tif 000007
【図７】
0003570199.tif 000008
【図８】
0003570199.tif 000009
【図９】
0003570199.tif 000010
【図１０】
0003570199.tif 000011
【図１１】
0003570199.tif 000012